【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
中央部に軸方向に貫通する孔を備えた円盤状のブラシカードと、
径方向両端に各々端面を有し、前記ブラシカード上において一端面を前記孔の中心へ向けて配置された棒状のブラシと、
前記ブラシの周方向側面に沿って軸方向に延びる側壁部を有するブラシホルダと、
一端部が前記ブラシカードに保持され、他端部が前記ブラシの他端面に接触する線材である、加圧部材と、
前記加圧部材から前記孔にむけて力が前記ブラシに加えられることによって、前記ブラシが接触する整流子と、
を備え、
前記ブラシの他端面における軸方向上側の領域には、径方向内側へ窪みつつ周方向へ伸びる第１の溝を有し、
前記ブラシにおける周方向側面のうち前記側壁部の反対側の周方向側面であって、かつ軸方向上側の領域には、前記ブラシホルダによって覆われていない露出部位があり、前記露出部位は周方向へ窪みつつ径方向へ伸び、さらに前記第１の溝と接続される第２の溝を有し、
前記ブラシの他端面における軸方向下側の領域には、径方向内側へ窪む段部を有し、
前記加圧部材の他端部は、前記孔の中心に向かって屈曲する接触部を有し、
前記接触部の一部が前記第１の溝に接することで、前記孔の中心にむく力が前記ブラシに作用し、前記ブラシが前記整流子に接触し、
前記接触部の一部が前記第２の溝に接することで、前記側壁部にむく周方向の力が前記ブラシに作用し、前記ブラシが前記整流子に接触しないで前記ブラシカードに仮止めすることができる、
ブラシカードアセンブリ。
【請求項２】
前記第２の溝の径方向外端部と前記第１の溝とが接続する部位が、湾曲面を有している、請求項１に記載のブラシカードアセンブリ。
【請求項３】
前記接触部、前記第１の溝、および前記第２の溝、の各軸方向位置が同じ、請求項１に記載のブラシカードアセンブリ。
【請求項４】
前記接触部の軸方向幅は、前記第１の溝および前記第２の溝の各軸方向幅よりも小さい、請求項１に記載のブラシカードアセンブリ。
【請求項５】
前記ブラシカードの周縁には、軸方向上側に延びる外壁と、前記外壁における前記ブラシの周方向と同じ位置において軸方向下側に窪む切り欠き部と、が設けられた請求項１に記載のブラシカードアセンブリ。
【請求項６】
前記ブラシカードは、前記加圧部材の一端部を保持する保持部を有し、
前記保持部が、前記一端部の径方向外側を覆う壁部を有している、請求項１に記載のブ
ラシカードアセンブリ。
【請求項７】
前記ブラシカードは、前記ブラシホルダを固定する固定部を有し、
前記固定部の周方向側面は、前記ブラシが仮止めされたときに、前記ブラシの他端面よりも径方向外側へ延びている、請求項１に記載のブラシカードアセンブリ。
【請求項８】
中央部に軸方向に貫通する孔を備えた円盤状のブラシカードと、
径方向両端に各々端面を有し、前記ブラシカード上において一端面を前記孔の中心へ向けて配置された棒状のブラシと、
前記ブラシの周方向側面に沿って軸方向に延びる側壁部を有するブラシホルダと、
一端部が前記ブラシカードに保持され、他端部が前記ブラシの他端面に接触する線材である、加圧部材と、
前記加圧部材から前記孔にむけて力が前記ブラシに加えられることによって、前記ブラシが接触する整流子と、
を備え、
前記ブラシの他端面における軸方向上側の領域には、径方向内側へ窪みつつ周方向へ伸びる第１の溝を有し、
前記ブラシにおける周方向側面のうち前記側壁部の反対側の周方向側面であって、かつ軸方向上側の領域には、前記ブラシホルダによって覆われていない露出部位があり、前記露出部位は周方向へ窪みつつ径方向へ伸び、さらに前記第１の溝と接続される第２の溝を有し、
前記ブラシの他端面における軸方向下側の領域には、径方向内側へ窪む段部を有し、
前記加圧部材の他端部は、前記孔の中心に向かって屈曲する接触部を有し、
前記接触部の一部が前記第１の溝に接することで、前記孔の中心にむく力が前記ブラシに作用し、前記ブラシが前記整流子に接触し、
前記接触部の一部が前記第２の溝に接することで、前記側壁部にむく周方向の力が前記ブラシに作用し、前記ブラシが前記整流子に接触しないで前記ブラシカードに仮止めすることができる、ブラシカードアセンブリの製造方法であって、
前記加圧部材を前記ブラシカードに保持する工程と、
前記ブラシを前記ブラシカードの前記孔の周縁に配置する工程と、
前記加圧部材の接触部が前記第１の溝を経由して前記第２の溝と接続するまで、前記ブラシを径方向外側へ移動させ仮固定する工程と、
を有する、ブラシカードアセンブリの製造方法。
【手続補正２】
【補正対象書類名】明細書
【補正対象項目名】０００８
【補正方法】変更
【補正の内容】
【０００８】
本発明の例示的な第１実施形態は、ブラシカードアセンブリであって、中央部に軸方向に貫通する孔を備えた円盤状のブラシカードと、径方向両端に各々端面を有し、前記ブラシカード上において一端面を前記孔の中心へ向けて配置された棒状のブラシと、前記ブラシの周方向側面に沿って軸方向に延びる側壁部を有するブラシホルダと、一端部が前記ブラシカードに保持され、他端部が前記ブラシの他端面に接触する線材である、加圧部材と、前記加圧部材から前記孔にむけて力が前記ブラシに加えられることによって、前記ブラシが接触する整流子と、を備え、前記ブラシの他端面における軸方向上側の領域には、径方向内側へ窪みつつ周方向へ伸びる第１の溝を有し、前記ブラシにおける周方向側面のうち前記側壁部の反対側の周方向側面であって、かつ軸方向上側の領域には、前記ブラシホルダによって覆われていない露出部位があり、前記露出部位は周方向へ窪みつつ径方向へ伸び、さらに前記第１の溝と接続される第２の溝を有し、前記ブラシの他端面における軸方向下側の領域には、径方向内側へ窪む段部を有し、前記加圧部材の他端部は、前記孔の中心に向かって屈曲する接触部を有し、前記接触部の一部が前記第１の溝に接することで、前記孔の中心にむく力が前記ブラシに作用し、前記ブラシが前記整流子に接触し、前記接触部の一部が前記第２の溝に接することで、前記側壁部にむく周方向の力が前記ブラシに作用し、前記ブラシが前記整流子に接触しないで前記ブラシカードに仮止めすることができる。
【手続補正３】
【補正対象書類名】明細書
【補正対象項目名】０００９
【補正方法】変更
【補正の内容】
【０００９】
また、本発明の例示的な第２実施形態は、中央部に軸方向に貫通する孔を備えた円盤状のブラシカードと、径方向両端に各々端面を有し、前記ブラシカード上において一端面を前記孔の中心へ向けて配置された棒状のブラシと、前記ブラシの周方向側面に沿って軸方向に延びる側壁部を有するブラシホルダと、一端部が前記ブラシカードに保持され、他端部が前記ブラシの他端面に接触する線材である、加圧部材と、前記加圧部材から前記孔にむけて力が前記ブラシに加えられることによって、前記ブラシが接触する整流子と、を備え、前記ブラシの他端面における軸方向上側の領域には、径方向内側へ窪みつつ周方向へ伸びる第１の溝を有し、前記ブラシにおける周方向側面のうち前記側壁部の反対側の周方向側面であって、かつ軸方向上側の領域には、前記ブラシホルダによって覆われていない露出部位があり、前記露出部位は周方向へ窪みつつ径方向へ伸び、さらに前記第１の溝と接続される第２の溝を有し、前記ブラシの他端面における軸方向下側の領域には、径方向内側へ窪む段部を有し、前記加圧部材の他端部は、前記孔の中心に向かって屈曲する接触部を有し、前記接触部の一部が前記第１の溝に接することで、前記孔の中心にむく力が前記ブラシに作用し、前記ブラシが前記整流子に接触し、前記接触部の一部が前記第２の溝に接することで、前記側壁部にむく周方向の力が前記ブラシに作用し、前記ブラシが前記整流子に接触しないで前記ブラシカードに仮止めすることができる、ブラシカードアセンブリの製造方法であって、前記加圧部材を前記ブラシカードに保持する工程と、前記ブラシを前記ブラシカードの前記孔の周縁に配置する工程と、前記加圧部材の接触部が前記第１の溝を経由して前記第２の溝と接続するまで、前記ブラシを径方向外側へ移動させ仮固定する工程と、を有することを特徴とする。
【手続補正４】
【補正対象書類名】明細書
【補正対象項目名】００２０
【補正方法】変更
【補正の内容】
【００２０】
ブラシカード２は、樹脂製の円盤状の部材である。ブラシカード２の中央部には、軸方向へ貫通する孔２１が設けられている。また、ブラシカード２は、ブラシ３を径方向に移動可能に保持する案内部２２と、ブラシ３を覆うブラシホルダ５を固定する固定部２３と、ブラシ３に対して力を加えブラシ３と整流子１０３とを接触させる加圧部材７を保持する保持部２４と、を有している。なお、ブラシカードは、円盤状でなくても良い。例えば、中央部に孔が設けられた楕円形状の部材であっても良い。
【手続補正５】
【補正対象書類名】明細書
【補正対象項目名】００４４
【補正方法】変更
【補正の内容】
【００４４】
最後に、ブラシ３をブラシカード２に仮固定させる。図８Ｃは、仮固定後の状態を示している。図８Ｂに示す状態から、ブラシ３を更に径方向外側へ移動させ、加圧部材７の接触部７２１をブラシ３の第２の溝３３１と接続させる。この状態では、加圧部材７からブラシ３へ対して、図８Ｃの白抜き矢印で示す方向へ力が作用している。この状態が、ブラシ３がブラシカード２に仮固定された状態である。なお、図８Ｂと同様に図８Ｃにおいても、突出部２３１Ａの周方向側面によって、ブラシ３が周方向へ傾くことを抑制することができる。すなわち、ブラシ３にクラックが発生する可能性を低減させることができる。